(57)【要約】【課題】  従来のドライバー工具では、ネジの落下を防止することができる落下防止機構付きドライバーの技術が提供されているが、十分な作業スペースが確保できないような場合には作業に支障をきたすことがあった。【解決手段】  ドライバー工具を筒状として、その本体内部においてドライバービットをスライド式（内部軸可動）にすることで、保護範囲の段階調節が可能となり、あらゆる長さのピンやネジ等を本体の内部に保持可能とする。【選択図】      図１２
2010137332.tif 000002
【特許請求の範囲】
【請求項１】
少なくとも片方が開口した筒状の本体と、該筒状の本体の内部を移動可能なドライバービットとを有し、
該開口した筒状の本体の内部には、該ドライバービットにより螺合するネジを保持する空間を備えることを特徴とするスライド式ドライバー工具。
【請求項２】
前記筒状の本体の内部を移動可能なドライバービットは、該筒状の本体の内部を移動する移動部と、ネジの頭部形状に嵌合する交換可能な先端部とを有し、
前記移動部と前記先端部はいずれも磁性体であり、少なくとも片方は磁力を持つことを特徴とする請求項１記載のスライド式ドライバー工具。
【請求項３】
前記移動部の材質には磁石を含み、前記先端部の材質には磁性体を含み、
前記ドライバービットは、前記先端部の材質に含まれる磁性体が、前記移動部の材質に含まれる磁石に吸着して形成されていることを特徴とする請求項１又は２に記載のスライド式ドライバー工具。
【発明の詳細な説明】
【技術分野】
【０００１】
保護継電装置の整定用ピンの調整にも対応したスライド式ドライバー工具の技術に関する。
【背景技術】
【０００２】
従来、保護継電装置の整定値を変更するような業務においては、一般にマイナスのドライバー工具を用いて取り付け・取り外しを行うといった状況があった。
【０００３】
さらに、整定用のピンがあるような箇所には、作業中に受け手を入れるようなスペースがないことが一般的であり、整定用のピンが機構部側等へ落下してしまうという問題が生じていた。
【０００４】
そのため、被螺合ネジの大きさ、長さなどに関係なく、ネジを確実に保持し、ネジの落下を防止することができる落下防止機構付きドライバーの技術が提供されている。（例えば特許文献１を参照）。
【特許文献１】特開２０００−１４１２３９号公報
【特許文献２】実開昭６２−１５００７０号公報
【特許文献３】実開昭５０−２９５９８号公報
【発明の開示】
【発明が解決しようとする課題】
【０００５】
特許文献１に示す落下防止機構付きドライバーでは、ドライバー本体が備えるグリップやロッドの長さが固定であるため、たとえば保護継電装置の整定用ピンの調整を行うような場合には、十分な作業スペースを確保できず、整定用ピンの長さにより作業に支障をきたすことも考えられる。
【０００６】
また、限られたタイプのネジ（ネジ頭のくぼみがプラス）にしか使用できず、ネジ頭のくぼみがマイナスである整定用ピンには使用できないという問題もある。
【０００７】
さらに、スカートと呼ばれる保護カバー部分がグリップと固定されていない時は、保護カバーが勝手に動いてしまい不安定である。このため保護カバーを手で支える必要があり両手が塞がってしまい、作業に際して必要になる配線を保持する動作ができないといった問題もあった。
【０００８】
本発明は、かかる事情に鑑みてなされたものであり、筒状本体の内部にドライバービットを備え付け、さらにドライバービットをスライド式（内部軸可動）にすることで保護範囲の段階調節を可能とし、あらゆる長さのピンやネジ等を本体内部に保持できるスライド式ドライバー工具を提供することを目的とする。
【課題を解決するための手段】
【０００９】
本発明のスライド式ドライバー工具は、少なくとも片方が開口した筒状の本体と、該筒状の本体の内部を移動可能なドライバービットとを有し、該開口した筒状の本体の内部には、該ドライバービットにより螺合するネジを保持する空間を備えることを特徴とする。
【００１０】
ここで「ネジ」とは、通常のネジに加えて、たとえば保護継電装置における整定用ピン等も含むものである。
【００１１】
本発明によれば、ネジやピンを筒状の本体内に保持したまま、開口した部分から対象とするネジ孔に螺合することが可能となるので、ネジやピンの取り付けや取り外しにおいて、誤ってネジやピンが落下してしまうという事態を回避することができる。
【００１２】
また、本発明のスライド式ドライバー工具において、前記筒状の本体の内部を移動可能なドライバービットは、該筒状の本体の内部を移動する移動部と、ネジの頭部形状に嵌合する交換可能な先端部を有し、前記移動部と前記先端部はいずれも磁性体であり、少なくとも片方は磁力を持つことを特徴とする。
【００１３】
本発明によれば、プラスやマイナス等の各種の先端部を作成して、対応するネジ等の頭部形状に応じて容易に付け替えることができる。
【００１４】
また、螺合するネジ等が磁性体である場合に、移動部から先端部に伝わった磁力または先端部が備える磁力が、螺合するネジ等に伝わることになるので、筒状の本体の内部においてネジ等の保持を確実なものにすることができる。
【００１５】
さらに、本発明のスライド式ドライバー工具において、前記移動部の材質には磁石を含み、前記先端部の材質には磁性体を含み、前記ドライバービットは、前記先端部の材質に含まれる磁性体が、前記移動部の材質に含まれる磁石に吸着して形成されていることを特徴とする。
【００１６】
本発明によれば、螺合するネジ等が磁性体である場合であっても、移動部の磁力により最初に先端部を吸着するので、次に吸着されるネジ等に及ぼす磁力は先端部に比べて弱くなり、ネジをネジ孔に取り付けた後において、先端部とネジとではなく、ネジのみが確実に離脱するようにすることができるという効果を奏する。
【発明の効果】
【００１７】
本発明のスライド式ドライバー工具によれば、ピンやネジを本体内部に保持しつつ、ネジ孔への取り付けや取り外しをすることができるので、ピンやネジが機構部等へ落下するような事態を回避することができる。
【００１８】
また、ピンやネジを本体内部に保持する構造としたことから、ピンやネジの大きさや長さに関わらず、片手でも安定した作業ができるという効果を奏する。
【発明を実施するための最良の形態】
【００１９】
以下、本発明のスライド式ドライバー工具の一実施形態を説明する。
図１は、本実施形態のスライド式ドライバー工具１の使用例を示した外観図である。本使用例では、装着したプラスのドライバービットの先端部３を、開口部１１からすべて露出した状態となっている。
【００２０】
左方向に開口部１１を持つ筒状本体１０の内部には、ドライバービットの先端部３等を装着して任意の場所に移動する移動部２を備える。移動部２は、筒状本体１０に設けられたスライド溝１２に沿って移動する。すなわち筒状本体１０の内部は、移動部２のスライドスペースとなっている。
【００２１】
また、本実施形態のスライド式ドライバー工具１では、筒状本体１０の根元部分にゴム素材等によるグリップ部１３を設けて、操作中の滑り等を排除することで、操作性の向上を図っている。
【００２２】
図２には、本実施形態のスライド式ドライバー工具１における別の使用例を示す。図１に示した使用例の本実施形態のスライド式ドライバー工具１から、移動部２の位置決め操作部２１をグリップ部１３側に移動させることで、筒状本体１０の内部の空間にネジ５等を保持することができる。
【００２３】
図３は筒状本体１０にネジ５を保持した場合の内部の状態を示す破断図である。
本実施形態のスライド式ドライバー工具１では、筒状本体１０の内部にドライバービット（移動部２，先端部３）とネジ５を一体として保持するので、そのまま筒状本体１０をネジ孔に螺合させることで、確実にネジ５の取り付けを行うことができる。
【００２４】
なお、図１，図２では説明の都合上、筒状本体１０の外皮のみを図面で示したが、本実施形態のスライド式ドライバー工具１では、筒状本体１０の素材を透過性があるプラスチック素材等としており、先端部３とネジ５等の噛み合わせの確認を、外部からでも容易に行うことができる。
【００２５】
また、本実施形態のスライド式ドライバー工具１を用いて、たとえば保護継電装置等に対して作業を行うような場合には、外皮を絶縁物であるプラスチック素材とすることで、短絡・感電の防止を図ることができる。
【００２６】
図４は、移動部２と先端部３を側面から見た破断図である。移動部２は、図１,図２において表出する位置決め操作部２１と、筒状本体１０のスライド溝１２に沿って移動部２を誘導する誘導部２２と、任意の場所で移動部２を係止させる係止機構部２３と、先端部３等を装着する先端装着部２５等から構成される。
【００２７】
また、詳細については後述するが、係止機構部２３に内在する板バネ２４の復元力により、板バネ２４の一部である２４ａが係止機構部２３に開けた孔２３ａから突起する。板バネ２４の突起２４ａは、筒状本体１０のスライド溝１２に係合して、移動部２を任意の場所に係止させる。
【００２８】
図５では、筒状本体１０のスライド溝１２の一部を拡大して示す。スライド溝１２は、狭い溝である誘導溝１２ａと、広い溝である係止溝１２ｂにより構成される。
移動部２の誘導部２２は、狭い溝である誘導溝１２ａに沿って長手方向に移動する。一方、係止機構部２３の板バネ２４の突起２４ａは、広い溝である係止溝１２ｂに係合して係止する。
【００２９】
図６は、移動部２を上部から見た参考図である。位置決め操作部２１の下方にある誘導部２２と、係止機構部２３の板バネ２４の突起２４ａを破線で示している。それぞれの位置は、図５に示す誘導溝１２ａおよび係止溝１２ｂで構成されるスライド溝１２に符合する。
【００３０】
図７は、ドライバービットの先端部３の外観図である。先端部３は、ネジ５等のネジ頭に嵌合する先端部分３ａと、ドライバービットの位置を任意の場所に移動する移動部２に装着させる六角形の根元部分３ｂとから成っている。
【００３１】
図８は、本実施形態のスライド式ドライバー工具１を、筒状本体１０の開口部１１から見た図であり、もっとも開口部１１側にある先端装着部２５が表出する。図８に示す移動部２には先端部３等を装着していない。
【００３２】
また、移動部２の先端装着部２５には、先端部３の根元部分３ｂ（図７）と嵌合する六角形の孔２５ａが設けられている。本実施形態における先端装着部２５は超強力な磁石を材質としており、先端部３等の材質を鉄等の強い磁性体とすることで、磁力で先端部３等を保持することができる。
【００３３】
さらに、先端部３が螺合するネジ５の材質も磁性体とすることで、ネジ５は先端装着部２５の磁力で先端部３に吸着した状態となり、作業中におけるネジ５の落下を防止することができる。
【００３４】
ここで、本実施形態においては、移動部２の先端装着部２５の材質を磁石としているので、最初に吸着する先端部３に対しては強い磁力を及ぼすことになる。一方、先端部３から吸着することになるネジ５に対しては、先端部３を経由していることや接着面が少ないことから、及ぼす磁力は弱いものとなっている。これにより、ネジ孔６にネジ５を取り付け終えたような場合に、先端部３とネジ５とではなく、ネジ５のみが確実に離脱するようにすることができる。
【００３５】
なお、本実施形態において先端装着部２５の材質を超強力な磁石としたが、電磁石とすることもできる。これにより、磁力の発生が好ましくないような場合にも、容易に対応することができる。
【００３６】
先端部３は、任意に取り替えが可能であり、さまざまなタイプのネジやピンに対応が可能である。たとえば、保護継電装置における作業時には、先端部３をマイナスドライバーにして深さを調整して整定用ピンの取り付けや取り外しを行い、一般的な端子台での作業時には、先端部３をプラスドライバーにすることで、ネジやピンの落下を防止させつつ、安心して作業を行うことができる。
【００３７】
また、本実施形態において、先端装着部２５が備える六角形の孔２５ａには突起２５ｂが、先端部３には窪み３ａが、それぞれ設けられており、六角形の孔２５ａから装着した際に先端部３が容易に外れないようにされている。これにより、確実に先端部３の抜け落ちを防止することができる。
【００３８】
図９は移動部２の長手方向における断面図である。ここでは係止機構部２３の機能について説明する。
係止機構部２３の内部は空洞となっており、板バネ２４が組み込まれている。板バネ２４は、係止機構部２３の上部に開けられた孔２３ａから、バネの復元力により２４ａが突起する。
【００３９】
図１０は、係止機構部２３の内部の構造を上部から表した図である。板バネ２４は、係止機構部２３の空洞２３ｂに納められている。ここで、板バネ２４の幅は空洞２３ｂの幅より狭い必要があり、孔２３ａの幅は空洞２３ｂの幅より狭い必要がある。なお、本図では係止機構部２３と接する誘導部２２,位置決め操作部２１,先端装着部２５等の記載は省略する。
【００４０】
図１１は、板バネ２４の突起２４ａにより移動部２が係止される状態の斜視図である。
操作者は、ネジ５の取り付けに際し、内部に保持するネジやピンの長さに応じて、移動部２をスライドさせることで、最適な位置を調整する。位置の調整は、誘導部２２の上部にある位置決め操作部２１をスライドさせることで行う。
【００４１】
係止機構部２３の上部に開けられた孔２３ａから突起した板バネ２４の突起２４ａは、位置決め操作部２１を所定の力でスライドさせることで、筒状本体１０のスライド溝１２の下方に送られる。操作者は、作業に際して最適な位置にある係止溝１２ｂを選択して、板バネ２４の突起２４ａを係止する。
【００４２】
操作者はその後、ネジ５の取り付けのために、本実施形態のスライド式ドライバー工具１の筒状本体１０を回転させるが、移動部２の誘導部２２および板バネ２４の突起２４ａが、筒状本体１０のスライド溝１２に当たるので、移動部２および先端部３は筒状本体１０に連動して回転する。
【００４３】
なお、本実施形態の係止機構部２３では、板バネ２４を用いて移動部２を係止することとして説明したが、これらの機構に限るものではなく、移動部２がスライド溝１２のいずれかの位置に係止されれば方法は問わない。
【００４４】
図１２は、筒状本体１０にネジ５を保持して、ネジ孔６に螺合する際の破断図である。操作者は、ネジ５を保持した筒状本体１０を回転させることでネジ孔６に螺合する。
【００４５】
また、筒状本体１０におけるネジ５の位置は、開口部１１がネジ孔６に接してから決めるようにしてもよい。すなわち、あらかじめ先端部３とネジ５のネジ頭を噛み合わせておき、ネジ孔６に対してネジ５を押し出すように、位置決め操作部２１を前方に操作する。これにより、確実にネジ５の落下を防止することができる。
【００４６】
螺合が進むと、筒状本体１０内にあったネジ５がネジ孔６内に移動していくことになるので、筒状本体１０内のスライドスペースの長さが余ることになる。そのため、ある程度ネジ５の取り付けが進行すると、位置決め操作部２１を前方に操作して、ドライバービットを最適な位置に調整する。
【００４７】
一方、ネジ５の取り外しの場合には、離脱が進むとネジ孔６内にあったネジ５が筒状本体１０内に移動していくことになるので、筒状本体１０内のスライドスペースの長さが足りなくなる。そのため、ある程度ネジ５の取り外しが進行すると、位置決め操作部２１を後方に操作して、ドライバービットを最適な位置に調整する。
【００４８】
図１３では、筒状本体１０の内部を説明する。スライダ部２にはプラスのドライバービットである先端部３が取り付けられている。また、グリップ部１３の内部は、予備のドライバービットの収納スペースとなっており、本図ではマイナスのドライバーピットである予備の先端部５が収納されている。予備の先端部５は、グリップ部１３のキャップ１４を外して取り出すことができる。
【００４９】
また、本実施形態のスライド式ドライバー工具１の筒状本体１０に、クリップ等のペン型の固定具を備えさせることで、持ち運びを容易にすることができる。
【００５０】
上記の通り、本実施形態のスライド式ドライバー工具１によれば、コンパクトな本体の内部にドライバービットやネジを保持したままで、ネジの取り付けや取り外しを行うことができるので、十分な作業スペースが確保できないような状況であっても、安全に作業を行うことができる。
【００５１】
また、たとえば保護継電装置における作業と、一般的な端子台における作業が連続して行われるような場合でも、工具を持ち替える必要がないため、大幅に作業効率を向上させることができる。
【００５２】
さらに、保護継電装置に用いる整定用ピンのように、プラスチック素材のネジやピンについては、従来技術である磁力による落下防止のみでは効果を奏さなかったが、本実施形態のスライド式ドライバー工具１によれば、筒状本体１０の内部にピンを保持することができるので、機構側にピン等を落下させるおそれもなく、ピンの取り付けや取り外しを安全に行うことができる。
【図面の簡単な説明】
【００５３】
【図１】本実施形態のスライド式ドライバー工具１の使用例を示した外観図である。
【図２】図１とは別の使用例を示した図である。
【図３】筒状本体１０にネジ５等を保持した場合の内部の状態を示す破断図である。
【図４】先端部３を装着した移動部２を側面から見た破断図である。
【図５】筒状本体１０のスライド溝１２の一部を拡大して示す図である。
【図６】移動部２を上部から見た参考図である。
【図７】ドライバービットの先端部３の外観図である。
【図８】筒状本体１０の開口部１１から見た図である。
【図９】移動部２の長手方向における断面図である。
【図１０】係止機構部２３の内部の構造を上部から表した図である。
【図１１】板バネ２４の突起２４ａにより移動部２が係止される状態の斜視図である。
【図１２】筒状本体１０にネジ５を保持し、ネジ孔６に螺合する状態を示す破断図である。
【図１３】筒状本体１０の内部を説明する図である。
【符号の説明】
【００５４】
１  スライド式ドライバー工具
２  移動部
３  先端部
４  予備の先端部
５  ネジ
６  ネジ孔
１０  筒状本体
１１  開口部
１２  スライド溝
１３  グリップ部
１４  キャップ
２１  位置決め操作部
２２  誘導部
２３  係止機構部
２４  板バネ
２５  先端装着部
【図３】
2010137332.tif 000003
【図４】
2010137332.tif 000004
【図５】
2010137332.tif 000005
【図６】
2010137332.tif 000006
【図７】
2010137332.tif 000007
【図８】
2010137332.tif 000008
【図９】
2010137332.tif 000009
【図１０】
2010137332.tif 000010
【図１１】
2010137332.tif 000011
【図１２】
2010137332.tif 000012
【図１３】
2010137332.tif 000013
【図１】
2010137332.tif 000014
【図２】
2010137332.tif 000015